(57)【特許請求の範囲】
【請求項１】
既に布設されている樹脂製の既設管を長手方向に切断するカッタと、切断された樹脂製の既設管を押し広げるエキスパンダとを備えたパイプスプリッタにおいて、
前記カッタが、樹脂製の既設管の円周方向で９０°間隔に配置されており刃先が樹脂製の既設管の肉厚を貫通する４枚のローラ刃と、該ローラ刃に対して樹脂製の既設管の長手方向で所定の間隔をおいて樹脂製の既設管の円周方向で１８０°間隔に配置されており刃先が樹脂製の既設管の肉厚を貫通する２枚のローラ刃とからなり、前記各ローラ刃の刃先が樹脂製の既設管を円周方向４箇所で肉厚を貫通しつつ長手方向に切断するカッタであることを特徴とするパイプスプリッタ。
【発明の詳細な説明】
【０００１】
【発明の属する技術分野】
本発明は、既に布設されている樹脂製の既設管の布設経路に新たな管を布設する管布設工法に用いられるパイプスプリッタに関する。
【０００２】
【従来の技術】
従来より、既に布設されている既設管の老朽化や、あるいは所定の負荷に対応する能力不足等の理由により、その既設管の布設経路に新たな管を布設することがしばしば行われている。ここで、例えば舗装された道路の下に布設されている既設管の布設経路に新たな管を布設する場合に、その舗装された道路を既設管の全長にわたり開削すると、開削するためのコストや再舗装のためのコストが非常に高くつく場合が多い。
【０００３】
そこで、特開平６−２３８５０９号公報には、既に布設されている既設管の両端部のみを開削し、開削された両端部のうちの一方から他方に向けて、既設管の内部に新たな管を推進することにより、既設管の布設経路に新たな管を布設する技術が提案されている。この技術によれば、既設管を長手方向に切断するためのカッタと、切断された既設管を押し広げるエキスパンダとを備えたパイプスプリッタを用意し、そのエキスパンダ後端部に新たな管を取り付け、開削された両端部のうちの一方から他方に向けて既設管をカッタで長手方向に切断し、切断された既設管をエキスパンダで押し広げながら既設管の内部に新たな管を推進することにより、既設管の内部に新たな管を布設する。
【０００４】
【発明が解決しようとする課題】
しかし、上述の特開平６−２３８５０９号公報に提案された技術では、既設管として例えば塩化ビニール管のような樹脂管が用いられている場合、長手方向に切断された樹脂管はエキスパンダで押し広げられるが、エキスパンダ通過後はその樹脂管の弾性力で元に戻ってしまい、このためエキスパンダの後端部に取り付けられた新たな管が樹脂管に挟み込まれてしまい、新たな管を推進するのに大きな力が必要である。
【０００５】
本発明は、上記事情に鑑み、小さな力で樹脂製の既設管の布設経路に新たな管を布設する管布設工法に用いられるパイプスプリッタを提供することを目的とする。
【０００８】
【課題を解決するための手段】
上記目的を達成する本発明のパイプスプリッタは、既に布設されている樹脂製の既設管を長手方向に切断するカッタと、切断された樹脂製の既設管を押し広げるエキスパンダとを備えたパイプスプリッタについて、上記カッタが、樹脂製の既設管の円周方向で９０°間隔に配置されており刃先が樹脂製の既設管の肉厚を貫通する４枚のローラ刃と、該ローラ刃に対して樹脂製の既設管の長手方向で所定の間隔をおいて樹脂製の既設管の円周方向に対して１８０°間隔に配置されており刃先が樹脂製の既設管の肉厚を貫通する２枚のローラ刃とからなり、前記各ローラ刃の刃先が樹脂製の既設管を円周方向４箇所で肉厚を貫通しつつ長手方向に切断するカッタであることを特徴とする。
【０００９】
本発明のパイプスプリッタは、樹脂製の既設管の円周方向で９０°間隔に配置されており刃先が樹脂製の既設管の肉厚を貫通する４枚のローラ刃と、該ローラ刃に対して樹脂製の既設管の長手方向で所定の間隔をおいて樹脂製の既設管の円周方向に対して１８０°の間隔に配置されており刃先が樹脂製の既設管の肉厚を貫通する２枚のローラ刃からなるカッタにより、各ローラ刃の刃先が樹脂製の既設管を円周方向４箇所で肉厚を貫通しつつ長手方向に切断するものであるため、既設管は長手方向に４箇所で分割されることとなり、その既設管の、エキスパンダ通過後における新たな管を挟み込む力は小さく、従って小さな力で樹脂管の内部に新たな管を推進することができる。
【００１０】
【発明の実施の形態】
以下、本発明の実施形態について説明する。
図１は、本発明の一実施形態の管布設工法の第１工程を示す図、図２は、管布設工法の第２工程を示す図、図３は、管布設工法の第３工程を示す図、図４は、管布設工法の第４工程を示す図である。
【００１１】
先ず、図１に示す第１工程において、道路１の下に既に布設されている塩化ビニール管（以下、塩ビ管と略記する）２の、およそ２０ｍ〜５０ｍの布設経路の両端を開削して、小立坑３（幅寸法Ｄ１＝３．５ｍ），小立坑４（幅寸法Ｄ２＝２．５ｍ）を形成する。また、塩ビ管２上に備えられた供給管分岐装置６を一時的に削除するために、道路１の、供給管分岐装置６の部分を開削して、小立坑５を形成する。
【００１２】
次に、図２に示す第２工程において、必要に応じて、塩ビ管２の、小立坑３，４が形成され露出した部分の一部分どうしを補助パイプ７で接続してバイパス経路を形成しておき、さらに塩ビ管２の、補助パイプ７で接続された近傍にストッパ８，９を挿入して、塩ビ管２の、布設経路に対応する部分への媒体の侵入を禁止する。次に、塩ビ管２の、布設経路に対応する部分の両端を切削するとともに、供給管分岐装置６を削除する。
【００１３】
次に、図３に示す第３工程において、小立坑３に押引き装置１０を設置し、その押引き装置１０を経由して、塩ビ管２の、布設経路に対応する部分にロッド（もしくはワイヤ）１１を挿入する。
次に、図４に示す第４工程において、パイプスプリッタ１２を用意する。このパイプスプリッタ１２の前半部分には、塩ビ管２の円周方向４か所の位置でその塩ビ管２を長手方向に切断するために、塩ビ管２の円周方向に対して９０°間隔で４枚のローラ刃および塩ビ管２の長手方向に対して所定の間隔をおいて塩ビ管２の円周方向に対して１８０°間隔で２枚のローラ刃からなるカッタ１３が備えられている。また、このパイプスプリッタ１２の後半部分には、切断された塩ビ管１２を押し広げるための、テーパ状のエキスパンダ１３が備えられている。
【００１４】
このようなパイプスプリッタ１２のエキスパンダ１４後端部に、新たな塩ビ管１５を取り付け、そのパイプスプリッタ１２を小立坑４に設置する。次に、パイプスプリッタ１２の先端に、塩ビ管２を経由して小立坑４にまで送出されたロッド１１を接続する。
次に、押引き装置１０を操作して、ロッド１１を図の左側に引き寄せてパイプスプリッタ１２の頭部を塩ビ管２に当てがう。引き続き押引き装置１０を操作して、ロッド１１を図の左側にさらに引き寄せる。すると、パイプスプリッタ１２のカッタ１３により、塩ビ管２が、その塩ビ管２の円周方向４か所の位置で長手方向に切断される。さらに押引き装置１０を操作して、ロッド１１を引き寄せる。すると、切断された塩ビ管１２は、エキスパンダ１４により押し広げられる。塩ビ管２は、その塩ビ管２の円周方向４か所の位置で長手方向に切断され、これにより４分割されているため、塩ビ管２の、エキスパンダ１４通過後における新たな塩ビ管１５を挟み込む力は小さく、従って小さな力で塩ビ管２の内部に新たな塩ビ管１５を推進することができる。
【００１５】
尚、本実施形態では、カッタ１３は９０°間隔，１８０°間隔で４枚のローラ刃，２枚のローラ刃を備えた場合について説明したが、これに限られるものではなく、カッタ１３は塩ビ管２の円周方向複数の位置でその塩ビ管２を長手方向に切断するものであればよい。
【００１６】
【発明の効果】
以上説明したように、本発明によれば、小さな力で既設管の管布設経路に新たな管を布設することができる。
【図面の簡単な説明】
【図１】本発明の一実施形態の管布設工法の第１工程を示す図である。
【図２】管布設工法の第２工程を示す図である。
【図３】管布設工法の第３工程を示す図である。
【図４】管布設工法の第４工程を示す図である。
【符号の説明】
１    道路
２、１５    塩ビ管
３、４、５    小立坑
６    供給管分岐装置
７    補助パイプ
８、９    ストッパ
１０    押引き装置
１１    ロッド
１２    パイプスプリッタ
１３    カッタ
１４    エキスパンダ
【図１】
0004019288.tif 000002
【図２】
0004019288.tif 000003
【図３】
0004019288.tif 000004
【図４】
0004019288.tif 000005